(57)【要約】【課題】従来の通風ブロックでは通風路の仕組みの不備で遮蔽効果のない通風ブロックである。そこで通風路の仕組みを変えることで要件を満たす通風遮蔽ブロックを提供する。【解決手段】ブロック本体１５０の上部１０１の第一凹部１０３とブロック本体１５０底部１０２の第２凹部１１０を設けた本発明ブロック本体１５０二個を重ねることにより第一凹部１０３と第２凹部１１０の間に連通部１１１が生まれ、ここに通風路１１１が構成されると共に重なる下に積まれるブロック本体１５０の上部１０１と上に積まれるブロック本体１５０の下部１０２とが直線上に位置することから正面側１０４から背面側１０５の方向に向かって視界が遮られる。従って本発明ブロック本体１５０の通風と遮蔽要件が満たされることが実証される。【選択図】図１
2019094748.tif 000002
【特許請求の範囲】
【請求項１】
ブロック本体の正面及び背面の一部を上部に向かって厚みを薄くした第一凹部と、
前記ブロックの底面の一部が上側に向かって凹みとなっている第２凹部とを備え、
複数の前記ブロック本体を積み重ねた時、前記第一凹部と前記第２凹部とで前記ブロック本体の正面から背面に連通した通風路が構成されるとともに前記ブロック本体の正面から背面への視界を遮ることを特徴とする通風遮蔽ブロック
【請求項２】
前記ブロック本体の中央部に鉄筋を通すための縦穴を設けると共に前記第一凹部及び前記第２凹部が前記ブロック本体の左右方向に分割され、さらに前記ブロック本体左右端に隣接する他のブロック本体の左右端と合わせて鉄筋を通すための縦穴を構成する切欠部を備えることを特徴とする通風遮蔽ブロック
【発明の詳細な説明】
【技術分野】
【０００１】  本発明はブロック本体正面より背面に向け通風路を設けることにより通風通気効果と遮蔽効果を得ることに関するものである。
【背景技術】
【０００２】  従来のコンクリートブロックとしての通風ブロックは穴あきブロックと呼ばれるもので穴部にはなんの工夫もされていない。ただ様々な形を施したもので単にブロックに穴を開けただけのものである。【０００３】  通風、穴あきブロックの役割は風を通すことにあるが、穴に角度を施したものも見受けられる。これは遮蔽効果を求めるものと思われる。しかし角度によっては遮蔽効果が認められないものばかりである。【０００４】  なお、本願発明に関連するものとして次の特許文献を挙げることができる。
【先行技術文献】
【特許文献】
【０００５】
【特許文献１】実用新案  第３０１８８０５号  公報
【特許文献２】実用新案登録  昭６３−１８４８１４
【発明の概要】
【発明が解決しようとする課題】
【０００６】  上述の如く従来技術による通風、遮蔽ブロックは、通風に関しては効果が認められるが遮蔽については通風路を斜め方向に、しかも直線加工されているために見る角度によっては遮蔽効果が認められないものである。【０００７】  本発明は通風路の形状を特徴とするもので、ブロック本体の上部、下部それぞれに第一凹部、第２凹部を設け、２つのブロックを重ねることによって構成される通風路による通風効果と、如何なる角度からも遮蔽効果を得る構造を特徴とするものである。
【課題を解決するための手段】
【０００８】  ブロック本体の正面及び背面の一部を上部に向かって薄くした第一凹部前記ブロック本体の底面の一部が上方に向かって凹みとなっている第２凹部を備えるブロック本体を第一凹部と第２凹部を重ねることにより連通部を構成させて通風路を設け、尚かつ遮蔽効果についてはどの角度からも遮蔽される形状とした。
【発明の効果】
【０００９】  上述したように本発明の通風遮蔽ブロックは、２つのブロック本体を重ね合わせたとき、前記ブロック本体の正面から背面に連通した通風路が構成されると共に前記ブロック本体の正面から背面への視界を遮ることができる。【００１０】  また、前記ブロック本体の中央部に鉄筋を通すための縦穴を設けると共に前記ブロック本体左右端に隣接する他のブロック本体の左右端と合わせて鉄筋を通すための縦穴を構成する切欠部を備えているためブロック本体の積み上げの時、ちどり積みも可能になりその強度が保たれる。
【図面の簡単な説明】
【００１１】
【図１】三面図  第一実施形態
【図２】上から見た斜視図
【図３】下からみた斜視図
【図４】正面の重ねた図
【図５】図４のＡ−Ａ線断面図
【図６】上から見た斜視図  第２実施形態
【図７】下から見た斜視図
【図８】複数のブロック本体を組積した図
【発明を実施するための形態】
【００１２】  （第一実施形態）
以下、本発明の通風遮蔽ブロック５０の実施形態を図１〜図５に基づいて説明する。
【００１３】  図１平面図Ａにおいては正面４及び背面５の一部から上部１に向かって厚みを薄くした凹部３を示す。
【００１４】  図１正面図Ｂでは上部に向かって厚みを薄くする巾を示す。
【００１５】  図２はブロック本体の上から見た斜視図でブロック本体５０の上部１第一凹部３右側の切欠部８左側の切欠部９を示す。
【００１６】  図３はブロック本体５０を下から見た斜視図で下部凹部１０を示す。
【００１７】  図４はブロック本体５０を２つ重ねた正面図。
【００１８】  図５は図４のＡ−Ａ線の斜視断面図を示し下のブロック本体５０の上部１の第一凹部３と上のブロック本体５０の下部２の第２凹部１０が重なった連通部即ち通風路１１が形成されることを示す。
【００１９】  上のブロック本体５０の底部２と下のブロック本体５０の上部１が直線状態に位置することで正面４から背面５への視界を遮り遮蔽する。
【００２０】  （第２実施形態）
次に図６〜８で参照して本発明の他の実施形態にかかる通風遮蔽ブロック１５０を説明する。
図６はブロック本体１５０の中央部に鉄筋を通すため縦穴１１２を設けると共に第一凹部１０３及び第２凹部１１０がブロック本体の左・右方向に分割されさらにブロック本体１５０の左１０７、右１０６に隣接する他のブロック本体１５０の左１０７右１０６端と合わせて鉄筋を通すための縦穴１１３を構成する切欠部１０８，１０９を備えたブロック本体１５０である。
【００２１】  図７第一凹部１０３と第２凹部１１０の２つを備えた。さらにブロック本体１５０の中央部１１２とブロック本体１５０の左１０７右１０６端に鉄筋を通すため切欠部を備えることによりブロック本体１５０を積み上げる時、ちどり積みも可能となり、積み上げた際の強度も生まれ、本ブロックの目的である通風遮蔽が十分に確保される通風遮蔽ブロックである。
【００２２】  図８は複数のブロック本体１５０を３つ使っての組み合わせについて説明します。下の段に２つのブロック本体１５０を並べると左右のブロック本体１５０の両端切欠部１０８と１０９が接合し、そこに接合部縦穴１１３と積み重ねるブロック本体１５０の中央部縦穴１１２を合わせて設置する。すると上のブロック本体１５０の両端切欠部１０８，１０９は下段ブロック本体１５０の各々の中央部縦穴１１２に位置することになる。
【００２３】  このブロック本体１５０の両端に各々一つずつブロック本体１５０を設置すると中央にあるブロック本体１５０の両端切欠部１０８，１０９に接合部縦穴１１３が形成される。この様にして積み上げることをちどり組積といい強度が確保される。
【符号の説明】
【００２４】１  上部
２  下部
３  第一凹部
４  正面
５  背面
６  右端
７  左端
８  右切欠部
９  左切欠部
１０  第２凹部
１１  連通部、通風部
１０１  上部
１０２  下部
１０３  第一凹部
１０４  正面
１０５  背面
１０６  右端
１０７  左端
１０８  右切欠部
１０９  左切欠部
１１０  第２凹部
１１１  連通部、通風部
１１２  ブロック本体中央部縦穴
１１３  ブロック本体接合部縦穴
【図１】
2019094748.tif 000003
【図２】
2019094748.tif 000004
【図３】
2019094748.tif 000005
【図４】
2019094748.tif 000006
【図５】
2019094748.tif 000007
【図６】
2019094748.tif 000008
【図７】
2019094748.tif 000009
【図８】
2019094748.tif 000010